(57)【要約】【課題】入力された音信号をクリップさせることなく出力させる技術を提供する。【解決手段】マイク１０の出力信号を増幅するマイク音量に応じて予め定められた圧縮制御情報をコンプレッサ制御部１０３からコンプレッサ１０４に入力し、コンプレッサ１０４は、マイク１０からの音声信号が入力されると、コンプレッサ制御部１０３から指示されたマイク音量に応じた圧縮制御情報に基づき、当該音声信号の信号レベルと予め定められた閾値を比較し、当該閾値を超える音声信号に対し、マイク音量に応じて定められた圧縮態様に従って圧縮処理を施して出力する。【選択図】図２
2011217067.tif 000002
【特許請求の範囲】
【請求項１】
マイクから入力される音信号を増幅するマイク音量を検出する音量検出手段と、
前記マイク音量に応じた音信号の圧縮の態様を定めた圧縮制御情報を記憶する記憶手段と、
前記マイクから入力された音信号が、予め設定されている閾値を超えると、前記音量検出手段において検出された前記マイク音量に応じた前記記憶手段内の前記圧縮制御情報に従い、前記閾値を超えている前記音信号に対して圧縮処理を行う圧縮手段と、
前記圧縮手段において圧縮された音信号を出力する出力手段と
を備えることを特徴とする音信号出力制御装置。
【請求項２】
前記音信号の周波数成分を分析してハウリングを起こしている周波数成分を検出するハウリング検出手段と、
前記マイク音量に応じた音信号の減衰量を記憶する減衰量記憶手段と、
前記ハウリング検出手段が検出したハウリングを起こしている周波数成分を、前記音量検出手段によって検出されたマイク音量に応じた前記減衰量記憶手段における減衰量に従って減衰させるハウリング抑制手段とを備え、
前記出力手段は、前記圧縮手段による圧縮処理と前記ハウリング抑制手段における減衰処理が施された音信号を出力することを特徴とする請求項１に記載の音信号出力制御装置。
【請求項３】
前記閾値は、前記マイク音量に応じて予め定められた閾値であり、
前記圧縮制御情報は、前記マイクから入力された音信号が前記閾値を超えてから圧縮を行うまでの第1時間と、当該音信号が再び前記閾値以下となってから圧縮を停止するまでの第２時間と、圧縮の割合を示す情報を含み、
前記圧縮手段は、前記音量検出手段が検出したマイク音量に応じた前記圧縮制御情報に基づき、前記音信号が前記閾値を超えた時点から前記第1時間の経過した後、前記圧縮の割合に従って当該音信号を圧縮し、当該音信号が当該閾値以下になった時点から前記第２時間が経過したときに当該音信号の圧縮を停止することを特徴とする請求項１又は２に記載の音信号出力制御装置。
【発明の詳細な説明】
【技術分野】
【０００１】
本発明は、音信号出力制御装置に関する。
【背景技術】
【０００２】
コンプレッサは、所定の信号レベルを超える音信号が入力された場合に、信号圧縮処理を行って最大信号レベルに達しないようにするものであり、カラオケ装置等においても用いられている。下記特許文献１には、出力レベルの異なるオーディオデータと音声データの各出力信号を、出力レベルが低い方に合わせるようにゲインダウンさせてミキシングする録音機能を備えたカラオケ装置が開示されている。
【先行技術文献】
【特許文献】
【０００３】
【特許文献１】特開２００４−２９５９３４号公報
【発明の概要】
【発明が解決しようとする課題】
【０００４】
ところで、コンプレッサは、コンプレッサに設定された閾値を入力信号が超えると、圧縮処理を行うから音声信号の波形に歪が生じる。カラオケ装置におけるマイクからの音声信号は出来る限り歪みなく出力したいという要望があるので、コンプレッサによる圧縮処理を行わない方が好ましい。一方、マイクからの音声信号を増幅するアンプのボリューム値が大きい場合にはコンプレッサによる圧縮処理を強く効かせなければクリップが発生するという問題がある。
本発明は、入力された音信号をクリップさせることなく出力させる音声出力制御装置を提供する。
【課題を解決するための手段】
【０００５】
本発明の請求項１に係る音信号出力制御装置は、マイクから入力される音信号を増幅するマイク音量を検出する音量検出手段と、前記マイク音量に応じた音信号の圧縮の態様を定めた圧縮制御情報を記憶する記憶手段と、前記マイクから入力された音信号が、予め設定されている閾値を超えると、前記音量検出手段において検出された前記マイク音量に応じた前記記憶手段内の前記圧縮制御情報に従い、前記閾値を超えている前記音信号に対して圧縮処理を行う圧縮手段と、前記圧縮手段において圧縮された音信号を出力する出力手段とを備えることを特徴とする。
【０００６】
また、本発明の請求項２に係る音信号出力制御装置は、前記音信号出力制御装置において、前記音信号の周波数成分を分析してハウリングを起こしている周波数成分を検出するハウリング検出手段と、前記マイク音量に応じた音信号の減衰量を記憶する減衰量記憶手段と、前記ハウリング検出手段が検出したハウリングを起こしている周波数成分を、前記音量検出手段によって検出されたマイク音量に応じた前記減衰量記憶手段における減衰量に従って減衰させるハウリング抑制手段とを備え、前記出力手段は、前記圧縮手段による圧縮処理と前記ハウリング抑制手段における減衰処理が施された音信号を出力することを特徴とする。
【０００７】
また、本発明の請求項３に係る音信号出力制御装置は、前記音信号出力制御装置において、前記閾値は、前記マイク音量に応じて予め定められた閾値であり、前記圧縮制御情報は、前記マイクから入力された音信号が前記閾値を超えてから圧縮を行うまでの第1時間と、当該音信号が再び前記閾値以下となってから圧縮を停止するまでの第２時間と、圧縮の割合を示す情報を含み、前記圧縮手段は、前記音量検出手段が検出したマイク音量に応じた前記圧縮制御情報に基づき、前記音信号が前記閾値を超えた時点から前記第1時間の経過した後、前記圧縮の割合に従って当該音信号を圧縮し、当該音信号が当該閾値以下になった時点から前記第２時間が経過したときに当該音信号の圧縮を停止することを特徴とする。
【発明の効果】
【０００８】
請求項１に記載の構成によれば、マイクから入力された音信号をクリップさせることなく出力することができる。
【０００９】
請求項２に記載の構成によれば、マイクから入力された音信号のハウリングを抑制することができる。
【００１０】
請求項３に記載の構成によれば、マイクから入力された音信号に対し、マイク音量に応じた圧縮処理を適切に行うことができる。
【図面の簡単な説明】
【００１１】
【図１】実施形態に係るカラオケ装置の構成を表すブロック図である。
【図２】実施形態に係る音声信号処理部の構成を説明する図である。
【図３】（ａ）は、実施形態に係る圧縮制御情報の構成及びデータ例を示す図である。（ｂ）は、実施形態に係るハウリング制御情報の構成及びデータ例を示す図である。
【図４】実施形態に係る音声信号の波形を例示した図である。
【図５】実施形態に係る音声信号の圧縮態様を説明する図である。
【図６】（ａ）〜（ｄ）は、実施形態に係る圧縮処理を説明する図である。
【図７】実施形態に係る音声信号のハウリング抑制処理を説明する図である。
【発明を実施するための形態】
【００１２】
本実施形態に係る音信号出力制御装置は、カラオケ装置に組み込まれて使用される場合の例について説明するが、単体で用いてもよいし、カラオケ装置以外の楽音発生装置と合わせて使用されてもよい。以下、本実施形態に係るカラオケ装置の構成について説明する。
【００１３】
図１は、本実施形態に係るカラオケ装置の構成を表すブロック図である。カラオケ装置１には、マイク接続端子にマイク１０が接続されており、制御部１１、操作部１２、記憶部１３、音源部１４、表示部１５、音声信号処理部１６を含んで構成されている。
【００１４】
マイク１０は、例えば、コンデンサマイク等の拡声手段であり、歌唱者が発する歌唱音声を収音した音信号を音声信号処理部１６へ送出する。制御部１１は、ＣＰＵ及びＲＡＭやＲＯＭのメモリで構成されており、ＲＡＭをワーキングエリアとして、ＲＯＭに記憶されている制御プログラムを実行することにより、制御部１１と接続されている各部を制御する。特に、制御部１１は、後述の操作部１２で設定されたマイク１０の音量に応じてマイク１０の出力信号を増幅するマイク音量(ゲイン)を検出し、検出したマイク音量を音声信号処理部１６へ送出する。
【００１５】
操作部１２は、利用者からの操作を有線又は無線により受付ける操作手段であり、マイク音量を設定する操作を受付けるマイク音量操作摘みや、楽曲の音量の調節操作を受付ける楽曲音量操作摘み、歌唱音と楽曲の各音声信号を合わせた全音量の調節操作を受付ける主音量調節摘みを含むと共に、楽曲の選択操作や楽曲の再生や停止を指示する操作ボタン等の操作子を含んで構成される。操作部１２は、利用者による操作を示す操作信号を制御部１１へ送出する。
【００１６】
記憶部１３は、不揮発性記憶媒体で構成されており、ＭＩＤＩ等の楽曲データや歌詞データ等の他、音声信号処理部１６の信号処理の際に参照される音声信号処理制御情報１３０が記憶されている。なお、音声信号処理制御情報１３０には、圧縮制御情報及びハウリング制御情報が含まれており、これらの詳細は後述する。
【００１７】
音源部１４は、制御部１１の制御の下、指示された楽曲データを再生して楽音信号を生成し、音声信号処理部１６へ送出する。表示部１５は、液晶ディスプレイ等で構成され、制御部１１の制御の下、指示された楽曲の歌詞データや操作部１２において受付けられた操作内容を表示する。
【００１８】
音声信号処理部１６は、本発明に係る音信号出力制御装置の一例であり、音声信号処理部１６は、制御部１１の制御の下、マイク１０から入力された音信号に対し所定の信号処理を施して出力する。ここで、音声信号処理部１６の詳細について説明する。図２は、音声信号処理部１６の構成を中心とするブロック図である。音声信号処理部１６は、プリアンプ１０１、Ａ／Ｄ変換部１０２、コンプレッサ制御部１０３、コンプレッサ１０４、ハウリング抑制部１０５、ハウリング抑制制御部１０６、ミキサ１０７、Ｄ／Ａ変換部１０８、アンプ１０９、スピーカ１１０を含んで構成されている。
本実施形態では、コンプレッサ制御部１０３、コンプレッサ１０４、ハウリング抑制部１０５、ハウリング抑制制御部１０６、ミキサ１０７は、ＤＳＰ(Digital Signal Processor)により実現される。
【００１９】
プリアンプ１０１は、制御部１１によって指示されたマイク音量に応じて、マイク１０からの出力信号を増幅してＡ／Ｄ変換部１０２に送出する。Ａ／Ｄ変換部１０２は、プリアンプ１０１から出力された出力信号をＡ／Ｄ変換し、Ａ／Ｄ変換した音声信号をコンプレッサ１０４に送出する。
【００２０】
コンプレッサ制御部１０３は、制御部１１から出力されたマイク音量を検知し、検知したマイク音量に対応する圧縮制御情報を記憶部１３から読み出してコンプレッサ１０４に送出する。コンプレッサ１０４は、本発明に係る圧縮手段であり、Ａ／Ｄ変換部１０２から出力された音声信号の信号レベルがマイク音量に応じた閾値を超えると、コンプレッサ制御部１０３から送出された圧縮制御情報に従って音声信号を圧縮する処理を行う。
【００２１】
ここで、圧縮制御情報について説明する。図３(ａ)は、圧縮制御情報の構成及びデータ例を示す図である。この図において、マイク音量は、マイク音量操作摘みで設定可能なマイク音量の範囲(Ｖ１＜Ｖ２＜Ｖ３・・・＜Ｖｎ)を示している。アタックタイム(ΔＴ１)は、音声信号が閾値を超えてから圧縮処理を開始するまでの時間を示し、リリースタイム(ΔＴ２)は、音声信号が再び閾値以下になってから圧縮処理を停止するまでの時間を示している。また、レシオは、マイク音量に応じて音声信号を圧縮する圧縮比率である。閾値(Ｖｔｈ)は、圧縮対象となる信号レベルであり、コンプレッサ１０４における最大信号レベル(Ｖｍａｘ)より小さい値が設定されている。
【００２２】
例えば、Ａ／Ｄ変換部１０２から図４に示す波形３０の音声信号が出力された場合において、この音声信号がコンプレッサ１０４に入力されると、図５に示すように、閾値Ｖｔｈを超えたｔ１からマイク音量に応じたアタックタイムΔＴ１が経過した時点から、当該マイク音量に対応するレシオに従って音声信号の圧縮処理が開始される。そして、再び音声信号の信号レベルが閾値Ｖｔｈ以下になるｔ２からマイク音量に応じたリリースタイムΔＴ２が経過した時点で圧縮処理が停止される。この圧縮処理によって波形３１のように圧縮される。
【００２３】
なお、本実施形態では、図３(ａ)に示す圧縮制御情報において、アタックタイム及びリリースタイムは、マイク音量が大きいほど短く設定されている(Ｔ３１＜Ｔ２１＜Ｔ１１＜・・・) 、(Ｔ１２＜Ｔ２２＜Ｔ３２・・・)。また、レシオはマイク音量が大きいほど大きい値が設定され(Ｒ１＜Ｒ２＜Ｒ３・・・)、閾値は、マイク音量が大きいほど大きい閾値が設定されている(Ｖｔｈ１＜Ｖｔｈ２＜Ｖｔｈ３・・・)。
つまり、マイク音量が大きいほどマイク１０に入力された音声は増幅されるため、マイク音量で増幅した分だけ閾値を高くするように設定し、コンプレッサ１０４の最大信号レベルでクリップさせないようにレシオを大きく設定すると共に、アタックタイム及びリリースタイムを短めに設定し、閾値を超える音声信号に高圧縮処理を行う。また、マイク音量が小さい場合には、マイク１０に入力された音声の増幅も小さいため、マイク音量が大きい場合より閾値を小さく設定し、アタックタイム及びリリースタイムは、マイク音量が大きい場合より長めに設定し、閾値を超える音声信号に対して低圧縮処理を行う。このように、マイク音量に応じた適正な音量のダイナミックレンジを定義して閾値を動的に変化させ、マイク音量に応じた圧縮処理を行うことで、どのマイク音量に設定された場合でも適正なダイナミックレンジとなるように音声信号の信号レベルを自動調整することができるので、ユーザが聴きやすい音量にすることができる。
【００２４】
ここで、マイク音量がＶ３とＶ１(Ｖ３＞Ｖ１)である場合のマイク１０から入力される音声信号の例を図６(ａ)と(ｂ)に示す。マイク音量がＶ３の場合には、図６(ａ)に示すように、マイク１０からの音声信号は、振幅が大きいピーク波形が多く現れ、これらのピーク波形が従来のように処理されるとコンプレッサ１０４の最大信号レベルＶｍａｘに達してしまう。また、マイク音量がＶ１の場合には、図６(ｂ)に示すように、マイク１０からの音声信号は振幅が小さいピーク波形が多く現れており、従来のように処理されたとしてもコンプレッサ１０４の最大信号レベルＶｍａｘには達しない。以下、図６(ａ)と(ｂ)の各波形の音声信号がコンプレッサ１０４に入力された場合の処理を各々説明する。
【００２５】
図６(ａ)の波形で示される音声信号がコンプレッサ１０４に入力される場合、コンプレッサ制御部１０３は制御部１１から送出されたマイク音量「Ｖ３」を検出し、マイク音量「Ｖ３」に対応するアタックタイム「Ｔ３１」、リリースタイム「Ｔ３２」、レシオ「Ｒ３」、閾値「Ｖｔｈ３」を記憶部１３における圧縮制御情報から選択してコンプレッサ１０４に送出する。
【００２６】
コンプレッサ１０４は、入力された音声信号の信号レベルが閾値Ｖｔｈ３を超えた時点からアタックタイム「Ｔ３１」を経過したときに、レシオ「Ｒ３」の圧縮比率で音声信号の圧縮処理を開始し、音声信号が再び閾値ｖｔｈ３以下となった時点からリリースタイム「Ｔ３２」を経過した時点で圧縮処理を停止する。この圧縮処理により、コンプレッサ１０４に入力された音声信号は、最大信号レベルに達する前にマイク音量に応じた圧縮態様で圧縮されて図６(ｃ)のような波形となり、入力された音声信号が最大信号レベルＶｍａｘでクリップされることを防止できる。
【００２７】
次に、図６(ｂ)の波形で示される音声信号がコンプレッサ１０４に入力される場合、コンプレッサ制御部１０３は、制御部１１から送出されたマイク音量「Ｖ１」を検出し、マイク音量「Ｖ１」に対応するアタックタイム「Ｔ１１」、リリースタイム「Ｔ１２」、レシオ「Ｒ１」、閾値「Ｖｔｈ１」を記憶部１３における圧縮制御情報から選択してコンプレッサ１０４に送出する。
【００２８】
コンプレッサ１０４は、入力された音声信号の信号レベルが閾値Ｖｔｈ１を超えた時点からアタックタイム「Ｔ１１」を経過したときに、レシオ「Ｒ１」の圧縮比率で音声信号の圧縮処理を開始し、音声信号が再び閾値ｖｔｈ１以下となった時点からリリースタイム「Ｔ１２」を経過した時点で圧縮処理を停止する。コンプレッサ１０４に入力された音声信号のうち、閾値を超える音声信号に対して低圧縮処理がなされ、図６(ｄ)のような波形となる。以上がコンプレッサ１０４による圧縮処理である。
【００２９】
図２に戻り、説明を続ける。ハウリング抑制制御部１０６は、制御部１１から出力されたマイク音量に応じた減衰条件を示すハウリング制御情報を記憶部１３から読み出してハウリング抑制部１０５に指示する。
ここで、ハウリング制御情報について説明する。図３(ｂ)は、ハウリング制御情報の構成及びデータ例を示す図である。この図において、マイク音量は、上述した圧縮制御情報と同様、マイク音量操作摘みで設定可能なマイク音量の範囲(Ｖ１＜Ｖ２＜Ｖ３・・・＜Ｖｎ)を示しており、各マイク音量に対応するゲインは、ハウリング周波数成分のゲインの減衰量が定義されている。本実施形態では、マイク音量が大きいほどハウリング周波数の振幅レベルが大きくなることに鑑みて、マイク音量が大きいほど減衰量が大きくなるように設定されている(Ｇ１＜Ｇ２＜Ｇ３・・・)。
【００３０】
ハウリング抑制部１０５は、コンプレッサ１０４から出力された音声信号に対し、高速フーリエ変換を用いた周波数解析処理を行い、所定の振幅レベルを超えている周波数成分(以下、ハウリング周波数成分と言う)の音声信号を、ハウリング抑制制御部１０６から指示されたハウリング制御情報に基づく減衰量に従い、ノッチフィルタを用いて減衰させる処理を行う。
具体的には、ハウリング抑制部１０５において、入力された音声信号を周波数解析した結果、例えば、図７に示すような周波数スペクトルが得られた場合には、所定の振幅レベルＡｔｈを超えている周波数ｆ１においてハウリングが生じていることを検知する。ハウリング抑制部１０５は、ハウリング周波数ｆ１を中心周波数とし、ハウリング周波数ｆ１と振幅レベルに基づいてＱ値を決定し、ハウリング抑制制御部１０６から指示されたハウリング制御情報のゲインを減衰量としてノッチフィルタによりハウリング周波数ｆ１成分を減衰させる。
【００３１】
図２に戻り、説明を続ける。ミキサ１０７は、ハウリング抑制部１０５においてハウリングが抑制されて出力された音声信号と、音源部１４において生成された楽音信号とを合成した音声信号をＤ／Ａ変換部１０８へ出力する。Ｄ／Ａ変換部１０８は、ミキサ１０７から出力された音声信号に対してＤ／Ａ変換処理を施してアンプ１０９に出力する。そして、アンプ１０９は、制御部１１から指示されたマイク音量及び主音量操作摘みで設定されている音量に従って、Ｄ／Ａ変換部１０８から出力された音声信号を増幅してスピーカ１１０に出力し、スピーカ１１０から放音する。
【００３２】
上述した実施形態では、コンプレッサ１０４に入力される音声信号の信号レベルが、マイク１０のマイク音量に応じて適切に設定された閾値を超えた場合に、マイク音量に応じたアタックタイム、リリースタイム、レシオに従って圧縮処理を行うことができる。そのため、コンプレッサ１０４において入力された音声信号が最大信号レベルでクリップされず、不自然な音質とならないように出力することができる。また、マイク音量に応じて適切に設定された減衰量を用いて、コンプレッサ１０４から出力された音声信号におけるハウリング周波数成分を減衰させて出力することができるため、スピーカ１１０から放音される音声が再びマイク１０で収音された場合におけるハウリングを抑制することができる。
【００３３】
＜変形例＞
本発明の実施形態について説明したが、本発明は上述した実施形態に限定されることなく、他の様々な形態で実施可能である。例えば、上述の実施形態を以下のように変形して本発明を実施してもよく、各変形例を組み合わせて実施してもよい。以下、本発明に係る実施形態の変形例について説明する。
【００３４】
（１）上述した実施形態では、マイク音量に応じて異なる閾値が予め設定されている例であったが、所定値以下のマイク音量に対しては固定の閾値を一つだけ設定し、所定値より大きいマイク音量の場合には、実施形態と同様にマイク音量に応じて異なる閾値を設定するようにしてもよい。また、所定値以下のマイク音量に対しては、レシオ、アタック、リリースのパラメータを各々一つだけ設定するようにしてもよい。
【００３５】
（２）上述した実施形態では、マイク音量に応じた圧縮制御情報に基づいてコンプレッサ１０４により圧縮処理を行う例であったが、コンプレッサ制御部１０３は、マイク音量が一定値以下である場合には、コンプレッサ１０４において圧縮処理を行わないように指示するように構成してもよい。
【００３６】
（３）上述した実施形態では、ハウリング抑制部１０５は、コンプレッサ１０４で圧縮処理を行ったか否かに関わらず、ハウリングを検知した場合にはマイク音量に応じた減衰量だけハウリング周波数の成分を減衰させる例であったが、コンプレッサ１０４で圧縮処理がなされた場合には、ハウリング周波数成分の減衰量を、圧縮処理を行わない場合と比べて所定量だけ減らして減衰させる等、圧縮処理が行われたか否かに応じて減衰量を変化させてもよい。なお、この場合には、コンプレッサ１０４で圧縮処理を行ったか否かの情報をハウリング抑制制御部１０６又はハウリング抑制部１０５に通知されるように構成する。
【００３７】
（４）上述した実施形態では、マイク音量に応じて異なるアタックタイム及びリリースタイムを設定する例であったが、マイク音量に応じて異なるレシオだけを設定してもよいし、マイク音量に応じて異なるアタックタイムだけを設定するようにしてもよい。また、マイク音量に応じて異なるリリースタイムだけを設定するようにしてもよい。また、レシオ、アタックタイム、リリースタイムのうち任意の２つのパラメータをマイク音量に応じて異なるように設定するように構成してもよい。
【００３８】
（５）また、上述した実施形態では、予め、マイク音量の範囲に応じた圧縮制御情報及びハウリング抑制情報が記憶部１３に記憶されている例であったが、圧縮制御情報及びハウリング抑制情報の予め定めた各基準値のみを記憶し、マイク音量に応じた圧縮制御情報及びハウリング抑制情報の変化量を各基準値に加算又は乗算するなど、予め定めた演算式を用いて圧縮制御情報及びハウリング抑制情報を求めるようにしてもよい。
【００３９】
（６）上述した実施形態では、マイク音量に応じた圧縮制御情報及びハウリング抑制情報を記憶部１３に記憶している例であったが、マイク音量に加えて、例えば、カラオケ装置１が設置されている部屋の音響伝達特性に応じた圧縮制御情報及びハウリング抑制情報を記憶するようにしてもよい。この場合には、カラオケ装置１が設けられている部屋毎の音響伝達特性を予め測定し、カラオケ装置１が設けられている部屋に応じた音響伝達特性とマイク音量に対応する圧縮制御情報及びハウリング抑制情報をコンプレッサ１０４及びハウリング抑制部１０５に指示するように構成する。
【００４０】
（７）上述した実施形態では、コンプレッサ制御部１０３及びハウリング抑制制御部１０６から、コンプレッサ１０４及びハウリング抑制部１０５に圧縮制御情報及びハウリング制御情報を指示する構成であったが、制御部１１からコンプレッサ１０４及びハウリング抑制部１０５に圧縮制御情報及びハウリング制御情報を指示するように構成してもよい。
【００４１】
（８）上述した実施形態において、ハウリング抑制部１０５が複数の異なる周波数成分においてハウリングが生じていることを検出した場合、複数のハウリング周波数が一定範囲内の近傍にあれば、当該複数のハウリング周波数を一つのノッチフィルタで減衰させるように構成してもよい。例えば、３つの異なるハウリング周波数ｆ１、ｆ２、ｆ３(ｆ１＜ｆ２＜ｆ３)の成分のうち、ハウリング周波数ｆ１及びｆ２が一定範囲内にあれば、Ｑ値を小さくしてハウリング周波数ｆ１及びｆ２を含む周波数成分をノッチフィルタにより減衰させる。
【００４２】
（９）上述した実施形態では、楽曲データを記憶部１３に記憶している例であったが、カラオケ装置１に通信手段を設け、通信回線を介して接続された外部装置から楽曲データを取得して再生するように構成してもよいし、光ディスク等の記録媒体に記憶されている楽曲データを取得して再生するように構成してもよい。
【符号の説明】
【００４３】
１・・・カラオケ装置、１０・・・マイク、１１・・・制御部、１２・・・操作部、１３・・・記憶部、１４・・・音源部、１５・・・表示部、１６・・・音声信号処理部、１０１・・・プリアンプ、１０２・・・Ａ／Ｄ変換部、１０３・・・コンプレッサ制御部、１０４・・・コンプレッサ、１０５・・・ハウリング抑制部、１０６・・・ハウリング抑制制御部、１０７・・・ミキサ、１０８・・・Ｄ／Ａ変換部、１０９・・・アンプ、１１０・・・スピーカ
【図１】
2011217067.tif 000003
【図２】
2011217067.tif 000004
【図３】
2011217067.tif 000005
【図４】
2011217067.tif 000006
【図５】
2011217067.tif 000007
【図６】
2011217067.tif 000008
【図７】
2011217067.tif 000009